(57)【要約】【課題】本発明によれば、組立て性が良好で、十分な強度を有する立体構造の緩衝材を提供することができる。【解決手段】上壁部と、上壁部の周囲を取り囲み上壁部に連設される側壁部と、を有する立体構造からなる緩衝材であって、開口部が形成されたベース板の一部に折り返し可能に折り返し片が設けられ、前記折り返し片には上壁部と側壁部を形成する折れ目が形成され、前記折り返し片を前記開口部に向かって折り返し、その後、前記折り返し片の前記上壁部に相当する部分を前記開口部を介して前記ベース板の表裏いずれか一方から他方へと突出させるように押し込むことで、前記折り返し片が前記折れ目にしたがって折れて前記立体構造が形成された緩衝材。【選択図】図５
2014237486.tif 000002
【特許請求の範囲】
【請求項１】
上壁部と、上壁部の周囲を取り囲み上壁部に連設される側壁部と、を有する立体構造からなる緩衝材であって、
開口部が形成されたベース板の一部に折り返し可能に折り返し片が設けられ、
前記折り返し片には前記立体構造の上壁部と側壁部を形成する折れ目が設けられ、
前記折り返し片を前記開口部に向かって折り返し、その後、前記折り返し片の前記上壁部に相当する部分を前記開口部を介して前記ベース板の表裏いずれか一方から他方へと突出させるように押し込み動作を行うことで、前記折り返し片が前記折れ目にしたがって折れ曲がり前記立体構造が形成される緩衝材。
【請求項２】
前記上壁部の形状と前記開口部の形状は略相似形状に形成されると共に、前記上壁部の面積が前記開口部の面積より小さく形成された請求項１記載の緩衝材。
【請求項３】
前記折り返し片には、前記折り返し片の押し込み動作後に前記開口部周縁に係止される係止部が設けられ、前記係止部により前記折り返し片の押し込み動作後の戻りが防止される請求項２記載の緩衝材。
【請求項４】
前記折り返し片には、前記折り返し片の押し込み動作時に前記開口部周縁に当接するストッパ部が設けられ、前記ストッパ部により前記折り返し片の前記開口部に対する押し込み量が規定量に規制される請求項３記載の緩衝材。
【請求項５】
前記折り返し片の押し込み動作時に、前記ストッパ部の側壁部側の先端が、前記開口部周縁に当接することで、前記折り返し片の押し込み完了後、前記ストッパ部の全面が、前記開口部周縁と当接するように規制された請求項４記載の緩衝材。
【請求項６】
前記折り返し片の前記上壁部に相当する部分を、前記開口部を介して前記ベース板の表裏いずれか一方から他方へと突出させるために、全ての折れ目の折れる順番が制御されている請求項５記載の緩衝材。
【発明の詳細な説明】
【技術分野】
【０００１】
本発明は、緩衝材に関し、特に上壁部と、上壁部の周囲を取り囲み上壁部に連設される側壁部と、を有する立体構造からなる緩衝材に関するものである。
【背景技術】
【０００２】
従来、この種の緩衝材として特開２０００−７２１３２等に見られるものは、上壁部の先端に係止用切欠部が設けられ、その係止用切欠部をベース板の係止片に係止させることで上壁部と側壁部とからなる立体構造を形成するものである。
【先行技術文献】
【特許文献】
【０００３】
【特許文献１】特開２０００−７２１３２号公報
【発明の概要】
【発明が解決しようとする課題】
【０００４】
しかしながら、従来の緩衝材では、上壁部の先端に設けられた係止用切欠部を係止片に係止させる動作が複雑であり、組立てに多くの時間を要していた。また、上壁部を支える側壁部が一つしかないため、例えば上壁部上面からかかる力に対して強度が十分でなく、緩衝材としての機能が十分ではなかった。
【課題を解決するための手段】
【０００５】
上記の目的を達成するために、本発明は、以下のような手段を採用している。すなわち、本発明の緩衝材は、上壁部と、上壁部の周囲を取り囲み上壁部に連設される側壁部と、を有する立体構造からなる緩衝材であって、開口部が形成されたベース板の一部に折り返し可能に折り返し片が設けられ、折り返し片には立体構造の上壁部と側壁部を形成する折れ目が設けられ、折り返し片を開口部に向かって折り返し、その後、折り返し片の上壁部に相当する部分を開口部を介してベース板の表裏いずれか一方から他方へと突出させるように押し込み動作を行うことで、折り返し片が折れ目にしたがって折れ曲がり立体構造が形成されることを特徴とする。
【０００６】
このように構成された本発明においては、折り返し片を開口部に向かって折り返し、その後、折り返し片の上壁部に相当する部分を開口部を介してベース板の表裏いずれか一方から他方へと突出させるように押し込み動作を行うだけで、簡単に立体構造を形成することができる。したがって、従来のように切欠部を係止片に係止させる動作が必要なく、組立て性が良好になり、組立てに要する時間を少なくすることができる。また、緩衝材の立体構造についても、上壁部を取り囲むように側壁部が設けられるため、上壁部上面にかかる力に対して十分な強度を有することができる。
【０００７】
本発明は、好ましくは、上壁部の形状と開口部の形状は略相似形状に形成されると共に、上壁部の面積が開口部の面積より小さく形成されている。
【０００８】
このように構成された本発明においては、折り返し片の押し込み動作時に、弱い力でスムーズに押し込むことができ、組立て性も向上させることができる。
【０００９】
本発明は、好ましくは、折り返し片には、折り返し片の押し込み動作後に開口部周縁に係止される係止部が設けられ、係止部により折り返し片の押し込み動作後の戻りが防止される。
【００１０】
このように構成された本発明においては、係止部により折り返し片の押し込み動作後の戻りを防止することができる。したがって、押し込み動作によって立体構造を形成した後に、折り返し片が元に戻ることがなく、立体構造を長期間維持することができる。また、上壁部上面にかかる力に対して、立体構造の強度を向上させることができる。
【００１１】
本発明は、好ましくは、折り返し片には、折り返し片の押し込み動作時に開口部周縁に当接するストッパ部が設けられ、ストッパ部により折り返し片の開口部に対する押し込み量が規定量に規制される。
【００１２】
このように構成された本発明においては、ストッパ部により折り返し片の押し込み量が規定量に規制されているため、押し込み動作によって形成される立体構造の大きさを規定の大きさにすることができる。したがって、折り返し片の押し込み過ぎによる立体構造の歪みが発生することがなく、規定の強度を保持させることができる。
【００１３】
本発明は、好ましくは、折り返し片の押し込み動作時に、ストッパ部の側壁部側の先端が、開口部周縁に当接することで、折り返し片の押し込み完了後、ストッパ部の全面が、開口部周縁と当接するように規制される。
【００１４】
このように構成された本発明においては、ストッパ部の側壁部側の先端が、開口部周縁に当接することで、折り返し片の押し込み完了後、ストッパ部の全面が、開口部周縁と当接するように規制できるため、ストッパ部全面を確実に開口部周縁と当接することが可能であり、ストッパ部が持つ本来の役割を果たすことが出来るように立体構造を形成することができる。
【００１５】
本発明は、好ましくは、折り返し片の上壁部に相当する部分を、開口部を介してベース板の表裏いずれか一方から他方へと突出させるために、全ての折れ目の折れる順番が制御されている。
【００１６】
このように構成された本発明においては、折り返し片の上壁部に相当する部分を、開口部を介してベース板の表裏いずれか一方から他方へと突出させるために、全ての折れ目の折れる順番が制御されているため、折り返し片の上壁部に相当する部分を押し込むだけで、立体構造を形成することができる。
【発明の効果】
【００１７】
本発明によれば、組立て性が良好で、十分な強度を有する立体構造の緩衝材を提供することができる。
【図面の簡単な説明】
【００１８】
【図１】本発明の実施の形態である緩衝材の展開斜視図である。
【図２】本発明の実施の形態である緩衝材の第１の組立て途中の状態を示す斜視図である。
【図３】本発明の実施の形態である緩衝材の第２の組立て途中の状態を示す斜視図である。
【図４】本発明の実施の形態である緩衝材の組立て完成状態（裏面）を示す斜視図である。
【図５】図４の緩衝材を上下逆（組立て完成状態の表面）にした斜視図である。
【図６】図５の緩衝材を違う角度から見た斜視図である。
【発明を実施するための形態】
【００１９】
以下、図面を参照しつつ、本発明の実施の形態について説明する。
図１は本発明の実施の形態である緩衝材の展開した状態を示す斜視図であり、図２は本発明の実施の形態である緩衝材の第１の組立て途中の状態を示す斜視図であり、図３は本発明の実施の形態である緩衝材の第２の組立て途中の状態を示す斜視図であり、図４は本発明の実施の形態である緩衝材の組立て完成状態（裏面）を示す斜視図である。また、図５は図４の緩衝材を上下逆（組立て完成状態の表面）にした斜視図である。
図１において１は段ボールからなるベース板であり、２はベース板に形成された略三角形状の開口部である。また、２４は開口部の一部に形成された切欠部である。以下の説明では、図１を基準にしてベース板１の上面側を裏面といい、下面側を表面という。
【００２０】
図１に示すように、ベース板１には連接部１０を介して折り返し片３が連設されている。この折り返し片３は、ベース板１の開口部２に近接した位置に配置されており、切れ目６によりベース板１から切り離し可能に形成されている。連接部１０におけるベース板１側には第１の折れ目４が設けられ、折り返し片３側には第２の折れ目８が設けられている。したがって、折り返し片３は図２、図３に示すように開口部２に向かって折り返すことが可能となっている。
【００２１】
折り返し片３には、詳細は後述する緩衝材の立体構造を形成するための略三角形状の上壁部１２と、その上壁部１２の周囲を取り囲むように側壁部１４、１５が設けられている。上壁部１２と、側壁部１４、１５はそれぞれ第３の折れ目１８を介して連設されている。この上壁部１２は上述した開口部２と略相似形状であり、開口部２より若干小さな面積で形成されている。
【００２２】
また、側壁部１４には、ストッパ部１６が第４の折れ目２２を介して連設されている。このストッパ部１６は、詳細は後述する折り返し片３を開口部２に押し込む押し込み動作時の押し込み量を規制するものである。一方、側壁部１５については、側壁部１４のようにストッパ部１６を設けなくとも連接部１０を介してベース板１とつながっているため、押し込み量は自然と規制されるようになっている。
【００２３】
また、ストッパ部１６の側壁部側の先端はＬ字に曲がっている。緩衝材を組み立てる際に、このストッパ部１６の側壁部側の先端部が図２に示す状態から図３に示す状態に折り曲げる際に、折り返し片３を開口部２に押し込むことで、まず開口部周縁に当接する。そうすることで、折り返し片３の押し込みが完了するまでの間、ストッパ部１６全体が第４の折れ目側に折れ曲がってしまうことを抑制しており、更に、折り返し片３の押し込み完了後に、ストッパ部１６の全面が開口部周縁と当接するように規制されるようになっている。
【００２４】
また、側壁部１４、１５の両端には、係止部２０が設けられている。この係止部２０についても詳細は後述するが、折り返し片３が押し込み動作後に元に戻ろうとしたときに、それを防止するためのものである。
【００２５】
なお、折り返し片３の上壁部１２に相当する部分を、開口部２を介してベース板１の表裏いずれか一方から他方へと突出させるために、全ての折れ目の折れる順番が、上壁部１２と側壁部１４、１５からなる立体構造を形成し易いように制御している。それは、図１に示す状態から切れ目６によって折り返し片３をベース板１より切り離す際に、まず第１の折れ目４が折れて、開口部２に向かって折れ易いように制御している。この折れ目４は他の折れ目と違って切れ目の入った折れ目とすることで、折れ易いように制御している。次に図２から図３に示す状態になるように第２の折れ目を折ることで、折り返し片３が開口部２へ向かって押し込みやすい準備が出来るようにしている。次に図３に示す状態まで折り返し片３を開口部２へ押し込むことで、折り返し片３が押し込みやすいように、上壁部１２の基端側Ｂに接する１箇所の第三の折れ目１８よりも先に、上壁部１２の先端側に接する２箇所の第三の折れ目１８が折れ始めるように制御している。この第三の折れ目１８は、上壁部１２の基端側Ｂに接する１箇所の第三の折れ目１８よりも先に、上壁部１２の先端側に接する２箇所の第三の折れ目１８が折れ始めるように、基端側Ｂに接する１箇所の第三の折れ目１８よりも、先端側に接する２箇所の第三の折れ目１８の方が折れ目の深さが深く、また、折れ目の形状も折れ易い形状としている。最後に図４に示す状態になるように、上壁部１２の基端側Ｂを開口部２に向かって押し込めるように、上壁部１２の基端側Ｂに接する１箇所の第三の折れ目１８が折れて、図４に示す組み立て完成状態にすることができる。
【００２６】
以下、図１〜図４を用いて、本発明の実施の形態である緩衝材の組立て方法について説明する。
まず、図１に示す状態から、切れ目６によって折り返し片３をベース板１より切り離すと共に、図２に示すように第１の折れ目４を基点として折り曲げ、折り返し片３をベース板１に対して起立した状態にする。その後、図３に示すように折り返し片３を第２の折れ目８を基点としてさらに折り曲げ、折り返し片３を開口部２に向かって折り返す。さらにその後、折り返し片３の上壁部１２の先端側Ａを開口部２に向かって押し込み、折り返し片３の上壁部１２の先端側Ａと側壁部１４をベース板１の裏面から表面に突出させる。そして、折り返し片３の上壁部１２の基端側Ｂも開口部２に向かって押し込み、折り返し片３の上壁部１２の基端側Ｂと側壁部１５をベース板１の裏面から表面に突出させると図４に示すように組立て完成状態となる。なお、上述の押し込み動作時の押し込み量は、ストッパ部１６が開口部２の周縁に当接するまで行うものである。このように構成することで、折り返し片３の押し込み量を規定量に規制することができ、上壁部１２と側壁部１４、１５からなる立体構造の形状を規定の形状にすることができる。
【００２７】
また、このとき、折り返し片３の上壁部１２は、開口部２と略相似形状であると共に、開口部２より若干小さな面積で形成されているため、上述の押し込み動作をスムーズに行うことができ、組立て性も良好になる。特に、上壁部１２と開口部２とは略相似形状であるため、折り返し片３を開口部２に向かって押し込むだけで、自然と折り返し片３が第３の折れ目１８にしたがって折れ曲がり、図５に示すような上壁部１２と側壁部１４、１５からなる立体構造が形成される。また、開口部２には切欠部２４が設けられているため、上述の押し込み動作時に開口部２が撓みやすく押し込み動作をスムーズに行うことができる。
【００２８】
なお、上述した組立て方法では、折り返し片３の上壁部１２の先端側Ａから開口部２に押し込んだが、これとは逆に基端側Ｂから押し込んで、その後、先端側Ａを押し込むことも可能である。
【００２９】
図６は図５の緩衝材を異なる角度から見た斜視図である。（折り返し片３の先端側Ａから見た図である。）
図６に示す通り、側壁部１４、１５の両端には係止部２０が設けられているため、上述の押し込み動作完了後に、係止部２０が開口部２の周縁に係止されるため、ベース板１の表面に突出状態の上壁部１２と側壁部１４、１５が元に戻ることなく、突出した状態を維持することができる。この側壁部両端に形成された係止部２０は上方に向かうにつれて幅が小さくなるテーパ形状をしているため、折り返し片３を押し込む際には抵抗にはなりにくい形状となっている。
【００３０】
以上、本発明の実施形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本実施形態では、上壁部１２を略三角形状に形成したが、その他の多角形形状（例えば略四角形状など）に形成することも可能である。また、本実施形態ではベース板１は段ボールからなるが、必要に応じて樹脂製あるいは厚紙のような部材を用いても良い。
【符号の説明】
【００３１】
１      ベース板
２      開口部
３      折り返し片
４      第１の折れ目
６      切れ目
８      第２の折れ目
１０    連接部
１２    上壁部
１４    側壁部
１５    側壁部
１６    ストッパ部
１８    第３の折れ目
２０    係止部
２２    第４の折れ目
２４    切欠部
【図１】
2014237486.tif 000003
【図２】
2014237486.tif 000004
【図３】
2014237486.tif 000005
【図４】
2014237486.tif 000006
【図５】
2014237486.tif 000007
【図６】
2014237486.tif 000008